(57)【特許請求の範囲】
【請求項１】
新聞の各紙面に掲載する少なくとも記事、画像からなる複数の要素を管理するとともに、前記管理されている各要素をそれぞれ読み出して各紙面上に配置し、配置された画像を加工することにより紙面データを作成する新聞紙面の制作システムに適用された画像更新方法であって、
前記制作システムは端末と編集サーバと記憶装置と表示装置とを備えており、
前記画像更新方法は、
前記紙面上に配置された前記画像を、前記端末を用いて加工処理を行い、
前記画像を記憶する時の前記加工処理の状態が未加工か加工済かを前記画像とともに前記記憶装置に記憶し、
前記記憶装置に記憶された画像の加工処理の状態が未加工である場合には、前記編集サーバによって、この画像が配置された紙面上に、この画像が未加工であるものと識別可能な未加工識別情報を付与し、
前記編集サーバによって未加工識別情報が付与された前記紙面データを、前記表示装置から表示し、
前記加工処理の状態が未加工の画像が配置された何れかの紙面に対して、前記未加工の画像に対応する加工済の画像が搬入された場合には、前記編集サーバによって、前記記憶装置に記憶されているこの画像の加工処理の状態を加工済とし、この紙面上に配置されている未加工の画像を、前記加工済の画像に置き換え、
前記紙面とは別の紙面上にも前記未加工の画像と同一の未加工の画像が配置されている場合には、前記編集サーバによって、前記記憶装置に記憶されているこの画像の加工処理の状態を加工済とし、前記別の紙面上に配置されている未加工の画像を、前記加工済の画像に置き換えるようにしたことを特徴とする新聞紙面の画像更新方法。
【請求項２】
請求項１に記載の新聞紙面の画像更新方法において、
前記制作システムは、前記紙面に配置されている画像の加工処理の状態を管理する管理テーブルを更に備え、前記編集サーバは、前記紙面に未加工の画像が搬入された場合には、少なくともこの画像の画像ＩＤ、および前記画像が配置されている紙面の紙面情報を前記管理テーブルに追加し、前記紙面に加工済の画像が搬入された場合には、対応する画像の画像ＩＤ、およびこの画像が配置されている紙面の紙面情報を前記管理テーブルから削除するようにしたことを特徴とする新聞紙面の画像更新方法。
【請求項３】
請求項２に記載の新聞紙面の画像更新方法において、
前記編集サーバは、何れかの紙面に配置された要素の、別の紙面への振替を行う場合には、前記要素に含まれる画像の加工処理の状態が未加工であれば、振替元の要素が配置された紙面の紙面情報を、対応する管理テーブルから削除して、振替先の紙面の紙面情報を、対応する管理テーブルに追加し、何れかの紙面に配置された要素の、別の紙面への複写を行う場合には、前記要素に含まれる画像の加工処理の状態が未加工であれば、複写先の紙面の紙面情報を、対応する管理テーブルに追加するようにしたことを特徴とする新聞紙面の画像更新方法。
【請求項４】
新聞の各紙面に掲載する少なくとも記事、画像からなる複数の要素を管理するとともに、前記管理されている各要素をそれぞれ読み出して各紙面上に配置し、配置された画像を加工することにより紙面データを作成する新聞紙面の制作システムであって、
前記紙面上に配置された前記画像の加工処理を行う画像加工手段と、
前記画像を記憶する時の前記加工処理の状態が加工済か未加工かを前記画像とともに記憶する記憶手段と、
前記記憶手段に記憶された画像の加工処理の状態が未加工である場合には、この画像が配置された紙面上に、この画像が未加工であるものと識別可能な未加工識別情報を付与する未加工識別情報付与手段と、
前記未加工識別情報付与手段によって未加工識別情報が付与された前記紙面データを表示する表示手段と、
未加工の画像が配置された何れかの紙面に対して、前記未加工の画像に対応する加工済の画像が搬入された場合には、前記記憶手段に記憶されているこの画像の加工処理の状態を加工済とし、この紙面上に配置されている未加工の画像を、前記加工済の画像に置き換える第１の画像データ置換手段と、
前記第１の画像データ置換手段によって未加工の画像が加工済の画像に置き換えられた紙面とは別の紙面上にも前記未加工の画像と同一の未加工の画像が配置されている場合には、前記記憶手段に記憶されているこの画像の加工処理の状態を加工済とし、前記別の紙面上に配置されている未加工の画像を、前記加工済の画像に置き換える第２の画像データ置換手段と
を備えたことを特徴とする新聞紙面の制作システム。
【請求項５】
請求項４に記載の新聞紙面の制作システムにおいて、
前記紙面に配置されている画像の加工処理の状態を管理する管理テーブルと、
前記紙面に未加工の画像が搬入された場合には、少なくともこの画像の画像ＩＤ、および前記画像が配置されている紙面の紙面情報を前記管理テーブルに追加し、前記紙面に加工済の画像が搬入された場合には、対応する画像の画像ＩＤ、およびこの画像が配置されている紙面の紙面情報を前記管理テーブルから削除する第１の管理テーブル更新手段と
を備えたことを特徴とする新聞紙面の制作システム。
【請求項６】
請求項５に記載の新聞紙面の制作システムにおいて、
何れかの紙面に配置された要素の、別の紙面への振替を行う場合には、前記要素に含まれる画像を単独で指定するか、またはこの画像を含む小組を指定し、前記要素に含まれる画像の加工処理の状態が未加工である場合、振替元の要素が配置された紙面の紙面情報を、対応する管理テーブルから削除して、振替先の紙面の紙面情報を、対応する管理テーブルに追加する第２の管理テーブル更新手段と、
何れかの紙面に配置された要素の、別の紙面への複写を行う場合には、前記要素に含まれる画像を単独で指定するか、またはこの画像を含む小組を指定し、前記要素に含まれる画像の加工処理の状態が未加工である場合、複写先の紙面の紙面情報を、対応する管理テーブルに追加する第３の管理テーブル更新手段と
を付加したことを特徴とする新聞紙面の制作システム。
【発明の詳細な説明】
【０００１】
【発明の属する技術分野】
本発明は、新聞紙面の制作システムおよび画像更新方法に係り、更に詳しくは、新聞紙面に配置された画像の加工状態を管理し、未加工の画像が配置されている新聞紙面を降版することを阻止することが可能な新聞紙面の制作システムおよび画像更新方法に関するものである。
【０００２】
【従来の技術】
従来、新聞紙面を制作する場合、特にニュース面では締め切りまでの時間が短く、また重大事件が紙面作成中に発生したりするために、事件の状況の進展により記事や、写真などの画像の大幅差し替えと、それに伴うレイアウト変更が日常的である。こうした背景から、紙面レイアウト担当者は、常にその時点での材料で仮紙面を作っておくことが多い。したがって、写真などの画像はコントラスト、色合いなどを調整していない未加工の状態であっても、仮紙面のレイアウトを作るために使っている。
【０００３】
【発明が解決しようとする課題】
しかしながら、このような従来の新聞紙面の制作方法では、以下のような問題がある。
【０００４】
すなわち、上述したような画像の加工は、画像担当部門などの専門技術者が担当しているのが通常であり、最終紙面は加工済みの画像でなければならない。もし、未加工の画像のまま降版してしまった場合には大きな問題となるため、紙面作成者はこれを意識して作業をしなければならない。
【０００５】
特に、複数の地方版を同時に作成する新聞社では、同じ画像を異なる紙面で使用するため、これらの全ての画像が加工済の画像に置き換わっていることを確認しなければならない。しかしながら、ゲラと呼ばれる出力物では、画像を一見しただけでは未加工か加工済かを見分けることは難しく、その判断が極めて困難であるという問題がある。
【０００６】
本発明はこのような事情に鑑みてなされたものであり、その第１の目的は、大刷や降版時に未加工の画像が紙面に配置されている場合には、大刷の印刷物や組版端末の画面上で警告メッセージを表示することにより、未加工画像が配置されていることを容易に認識させることができ、もって、未加工画像のまま誤降版してしまうことを阻止することが可能な新聞紙面の制作システムおよび画像更新方法を提供することにある。
【０００７】
また、その第２の目的は、未加工状態で組版に送られた画像に対し、加工済画像が再送された場合には、紙面レイアウト担当者が差し替え操作をしなくても未加工画像を加工済画像に自動的に差し替えることが可能な新聞紙面の制作システムおよび画像更新方法を提供することにある。
【０００８】
【課題を解決するための手段】
上記の目的を達成するために、本発明では、以下のような手段を講じる。
【０００９】
すなわち、請求項１の発明は、新聞の各紙面に掲載する少なくとも記事、画像からなる複数の要素を管理するとともに、管理されている各要素をそれぞれ読み出して各紙面上に配置し、配置された画像を加工することにより紙面データを作成する新聞紙面の制作システムに適用された画像更新方法である。ここで、制作システムは端末と編集サーバと記憶装置と表示装置とを備えている。そして、画像更新方法は、紙面上に配置された前記画像を、端末を用いて加工処理を行い、画像を記憶する時の加工処理の状態が未加工か加工済かを画像とともに記憶装置に記憶し、記憶装置に記憶された画像の加工処理の状態が未加工である場合には、編集サーバによって、この画像が配置された紙面上に、この画像が未加工であるものと識別可能な未加工識別情報を付与し、編集サーバによって未加工識別情報が付与された紙面データを、前記表示装置から表示し、加工処理の状態が未加工の画像が配置された何れかの紙面に対して、未加工の画像に対応する加工済の画像が搬入された場合には、編集サーバによって、記憶装置に記憶されているこの画像の加工処理の状態を加工済とし、この紙面上に配置されている未加工の画像を、加工済の画像に置き換え、紙面とは別の紙面上にも未加工の画像と同一の未加工の画像が配置されている場合には、編集サーバによって、記憶装置に記憶されているこの画像の加工処理の状態を加工済とし、別の紙面上に配置されている未加工の画像を、加工済の画像に置き換える。
【００１０】
従って、請求項１の発明の新聞紙面の画像更新方法においては、以上のような手段を講じることにより、紙面上に未加工画像が配置されていることを容易に認識できるようになるので、未加工画像が配置されたままの紙面データを、誤って降版することを阻止することができる。
【００１４】
また、例えば、地方版など、他の紙面と同一の画像を配置するような新聞紙面を制作する場合であっても、同一画像を配置している全紙面について個別に置換しなくても、１つの紙面だけについて置換すれば他の紙面の画像も自動的に置換されるので、未加工画像の加工済画像への置換を効率的に行うことができる。
【００１５】
請求項２の発明は、請求項１の発明の新聞紙面の画像更新方法において、制作システムは、紙面に配置されている画像の加工処理の状態を管理する管理テーブルを更に備え、編集サーバは、紙面に未加工の画像が搬入された場合には、少なくともこの画像の画像ＩＤ、および画像が配置されている紙面の紙面情報を管理テーブルに追加し、紙面に加工済の画像が搬入された場合には、対応する画像の画像ＩＤ、およびこの画像が配置されている紙面の紙面情報を管理テーブルから削除する。
【００１６】
従って、請求項２の発明の新聞紙面の画像更新方法においては、以上のような手段を講じることにより、管理テーブルのデータを参照することによって、複数紙面に共通して配置されている未加工画像の、加工済画像への置換を効率的に行うことができる。
【００１７】
請求項３の発明は、請求項２の発明の新聞紙面の画像更新方法において、編集サーバは、何れかの紙面に配置された要素の、別の紙面への振替を行う場合には、要素に含まれる画像の加工処理の状態が未加工であれば、振替元の要素が配置された紙面の紙面情報を、対応する管理テーブルから削除して、振替先の紙面の紙面情報を、対応する管理テーブルに追加し、何れかの紙面に配置された要素の、別の紙面への複写を行う場合には、要素に含まれる画像の加工処理の状態が未加工であれば、複写先の紙面の紙面情報を、対応する管理テーブルに追加する。
【００１８】
従って、請求項３の発明の新聞紙面の画像更新方法においては、以上のような手段を講じることにより、画像を他の紙面に移動させる振替や、同一画像をコピーして他の紙面に配置する複写を行う場合であっても、複数紙面に共通して配置されている未加工画像の、加工済画像への置換を効率的に行うことができる。
【００１９】
請求項４の発明は、新聞の各紙面に掲載する少なくとも記事、画像からなる複数の要素を管理するとともに、管理されている各要素をそれぞれ読み出して各紙面上に配置し、配置された画像を加工することにより紙面データを作成する新聞紙面の制作システムである。この制作システムは、紙面上に配置された画像の加工処理を行う画像加工手段と、画像を記憶する時の加工処理の状態が加工済か未加工かを前記画像とともに記憶する記憶手段と、記憶手段に記憶された画像の加工処理の状態が未加工である場合には、この画像が配置された紙面上に、この画像が未加工であるものと識別可能な未加工識別情報を付与する未加工識別情報付与手段と、未加工識別情報付与手段によって未加工識別情報が付与された紙面データを表示する表示手段と、未加工の画像が配置された何れかの紙面に対して、未加工の画像に対応する加工済の画像が搬入された場合には、記憶手段に記憶されているこの画像の加工処理の状態を加工済とし、この紙面上に配置されている未加工の画像を、加工済の画像に置き換える第１の画像データ置換手段と、第１の画像データ置換手段によって未加工の画像が加工済の画像に置き換えられた紙面とは別の紙面上にも未加工の画像と同一の未加工の画像が配置されている場合には、記憶手段に記憶されているこの画像の加工処理の状態を加工済とし、別の紙面上に配置されている未加工の画像を、加工済の画像に置き換える第２の画像データ置換手段とを備える。
【００２０】
従って、請求項４の発明の新聞紙面の制作システムにおいては、未加工画像は、未加工識別情報とともに表示されるので、未加工画像が配置されたままの紙面データを誤って降版することを阻止することができる。
【００２２】
また、未加工画像が加工済画像に置換されると、別の紙面に配置されている同一の未加工画像もまた置換されるので、同一の未加工画像の加工済画像への置換をまとめて行うことができる。
【００２３】
請求項５の発明は、請求項４の発明の新聞紙面の制作システムにおいて、紙面に配置されている画像の加工処理の状態を管理する管理テーブルと、紙面に未加工の画像が搬入された場合には、少なくともこの画像の画像ＩＤ、および画像が配置されている紙面の紙面情報を管理テーブルに追加し、紙面に加工済の画像が搬入された場合には、対応する画像の画像ＩＤ、およびこの画像が配置されている紙面の紙面情報を管理テーブルから削除する第１の管理テーブル更新手段とを備える。
【００２４】
従って、請求項５の発明の新聞紙面の制作システムにおいては、管理テーブルのデータを参照することによって、複数紙面に共通して配置されている未加工画像の、加工済画像への置換を効率的に行うことができる。
【００２５】
請求項６の発明は、請求項５に記載の新聞紙面の制作システムにおいて、何れかの紙面に配置された要素の、別の紙面への振替を行う場合には、要素に含まれる画像を単独で指定するか、またはこの画像を含む小組を指定し、要素に含まれる画像の加工処理の状態が未加工である場合、振替元の要素が配置された紙面の紙面情報を、対応する管理テーブルから削除して、振替先の紙面の紙面情報を、対応する管理テーブルに追加する第２の管理テーブル更新手段と、何れかの紙面に配置された要素の、別の紙面への複写を行う場合には、要素に含まれる画像を単独で指定するか、またはこの画像を含む小組を指定し、要素に含まれる画像の加工処理の状態が未加工である場合、複写先の紙面の紙面情報を、対応する管理テーブルに追加する第３の管理テーブル更新手段とを付加してなる。
【００２６】
従って、請求項６の発明の新聞紙面の制作システムにおいては、管理テーブルのデータを参照することによって、画像を他の紙面に移動させる振替や、同一画像をコピーして他の紙面にも配置する複写を行う場合であっても、複数紙面に共通して配置されている未加工画像の、加工済画像への置換を効率的に行うことができる。
【００２７】
【発明の実施の形態】
以下に、本発明の各実施の形態について図面を参照しながら説明する。
【００２８】
（第１の実施の形態）
本発明の第１の実施の形態を図１から図７を用いて説明する。
【００２９】
図１は、第１の実施の形態に係る新聞紙面の画像更新方法を適用した新聞紙面制作システムの一例を示す全体機能ブロック図である。
【００３０】
本実施の形態に係る新聞紙面制作システムは、記事入力／校正端末１と、記事サーバ２と、画像入力／加工端末３と、画像サーバ４と、組版端末５と、組版編集サーバ６と、紙面データファイル格納部７と、出力サーバ８と、プリンタ／プロッタ９とを備えている。
【００３１】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００３２】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００３３】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００３４】
画像サーバ４は、画像入力／加工端末３から出力された画像データを取得し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００３５】
組版端末５は、例えばワークステーションやパーソナルコンピュータで構成しており、オペレータによる記事、画像、および見出しの配置（割付）操作の入力を受け付け、配置の終了した紙面の領域を配置領域データとして組版編集サーバ６に出力する端末である。
【００３６】
組版編集サーバ６は、組版端末５からの要求に対して、記事や画像を組版端末５に送信する。そして、組版端末５によって編集処理された紙面データファイル１３を紙面データファイル格納部７に出力し、蓄積させる。また、組版編集サーバ６は、図２の要部機能ブロック図に示すように、画像登録部１１と出力編集部１２とを備えている。画像登録部１１は、画像サーバ４から画像データ１０を取得して、図３のフローチャートに示す通り動作し、画像データ１０の紙面データファイル１３への登録処理を行う。また、出力編集部１２は、図４のフローチャートに示す通り動作し、組版端末５によって指定された紙面データファイル１３を紙面データファイル格納部７から読み出し、紙面の出力用データを作成し出力サーバ８に出力する。なお、図５は、画像データ１０の一例を示すデータ構成図である。
【００３７】
紙面データファイル格納部７は、組版端末５によって編集処理された紙面データファイル１３（＃１，＃２，＃３，・・・）を、組版編集サーバ６を介して取得し蓄積するとともに、蓄積している紙面データファイル１３（＃１，＃２，＃３，・・・）を、組版編集サーバ６からの要求に基づいて適宜組版編集サーバ６に出力する。なお、図６は、紙面＃１の紙面データファイル１３である紙面データファイル１３（＃１）の一例を示すデータ構成図、図７は、紙面＃２の紙面データファイル１３である紙面データファイル１３（＃２）の一例を示すデータ構成図である。
【００３８】
出力サーバ８は、組版端末５からの大刷／版下出力指示にしたがって、組版編集サーバ６で生成された記事や画像をドットデータに展開してプリンタ／プロッタ９に出力する。
【００３９】
プリンタ／プロッタ９は、出力サーバ８から出力されたドットデータを取得し、このドットデータに基づいて大刷や版下を出力する。
【００４０】
次に、以上のように構成した本実施の形態に係る新聞紙面の画像更新方法を適用した新聞紙面制作システムの動作について説明する。
【００４１】
まず、図３のフローチャートを用いて、画像登録部１１によってなされる画像データ１０の登録処理動作について説明する。
【００４２】
画像登録部１１によって画像データ１０の登録処理が行われる場合には、まず、画像登録部１１によって、画像サーバ４に蓄積されている画像データ１０が取得され、この画像データ１０に指定されている掲載年月日１０ＫＤ、面名１０ＭＮ、版名１０ＨＮと一致する紙面デ−タファイル１３が紙面データファイル格納部７から検索される（Ｓ１）。
【００４３】
具体的には、紙面データファイル格納部７内の紙面データファイル１３（＃１）、紙面データファイル１３（＃２）、紙面データファイル１３（＃３），・・・が順次探索され、更に以下に示す（１）から（４）の処理が行われる。
（１）ある紙面の紙面データファイル１３が対象とされる。
（２）対象とされた紙面データファイル１３の掲載年月日１３ＫＤ、面名１３ＭＮ、版名１３ＨＮがすべて、画像データ１０の掲載年月日１０ＫＤ、面名１０ＭＮ、版名１０ＨＮとそれぞれ一致するかが確認される。
（３）すべて一致する場合にはステップＳ２の処理が行われ、いずれか１つでも一致しない場合には以下に示す（４）の処理が行われる。
（４）全ての紙面の紙面データファイル１３に対して処理がなされた場合には、以下に示す（６）の処理が行われ、そうでない場合は以下に示す（５）の処理が行われる。
（５）次の紙面が対象とされ、ステップＳ２の処理が行われる。例えば、紙面＃１の処理の終了後には、次の紙面である紙面＃２が対象とされる。
（６）紙面データファイル１３内に新たな紙面が追加登録され、ステップＳ２の処理が行われる。
【００４４】
ステップＳ２では、指定された画像データ１０の画像ＩＤ１０ＩＤと一致する画像が紙面データファイル１３内に登録されているか否かが確認される（Ｓ２）。この確認方法は以下に示す（１）から（５）の処理が行われることによってなされる。例えば、紙面＃１の紙面データファイル１３（＃１）の場合、
（１）紙面データファイル１３（＃１）内の＃１レコードの要素情報が対象とされる。
（２）対象要素情報のレコードの要素種別が「画像」であるか否かが確認される。そして、「画像」であれば以下に示す（３）の処理が行われ、そうでなければ以下に示す（４）の処理が行われる。例えば、対象要素情報が＃１レコードであれば＃１レコードの要素種別１３１ＳＢ（＃１）は「画像」であるので以下に示す（３）の処理が行われる。また、対象要素情報が＃２レコードであれば、＃２レコードの要素種別１３２ＳＢ（＃２）は「記事」であるので以下に示す（４）の処理が行われる。
【００４５】
（３）対象要素情報のレコードの要素ＩＤが、指定された画像ＩＤと一致するか否かが確認される。一致する場合には、この画像ＩＤの画像は登録済であるのでステップＳ３の処理が行われ、一致しない場合にはステップＳ４へ進む。例えば、該当画像が画像ａであるとすれば、＃１レコードの要素ＩＤ１３１ＩＤ（＃１）＝画像ＩＤ１０ＩＤとなり一致する。
【００４６】
（４）紙面データファイル１３内の全てのレコードの要素情報に対して処理がなされたか否かが確認される。全てのレコードの要素情報に対して処理がなされた場合、未登録としてステップＳ５の処理が行われ、そうでない場合には以下に示す（５）の処理が行われる。
【００４７】
（５）対象要素情報が次のレコードとされる。例えば、対象要素情報が＃１レコードであれば、次のレコードは＃２レコードの要素情報となる。このように、次のレコードが対象とされて上述した（２）の処理が行われる。これによって、全てのレコードを対象として上述した（２）から（５）までの処理が行われる。
【００４８】
このようにしてなされたステップＳ２による処理の結果、指定された画像ＩＤと一致する画像が該当紙面データファイル１３に登録済みである場合（Ｓ２：Ｙｅｓ）には、ステップＳ３の処理が行われ、登録済みでない場合（Ｓ２：Ｎｏ）には、ステップＳ５の処理が行われる。
【００４９】
ステップＳ３では、紙面データファイル１３内の該当画像の要素情報が更新される。これは、例えば、以下の通りにして行われる。仮に、＃１レコードの要素情報（画像ａ）であるとする。このとき、画像データ１０の画像加工状態１０ＫＦの内容が＃１レコードの画像加工状態１３１ＫＦ（＃１）の内容に、画像データ１０の画像寸法１０ＳＺの内容が＃１レコードの画像寸法１３１ＳＺ（＃１）の内容に、画像データ１０の画像属性情報１０ＰＲの内容が＃１レコードの画像属性情報（色、トリミング等）１３１ＰＲ（＃１）の内容にそれぞれ更新され、ステップＳ４の処理が行われる。
【００５０】
ステップＳ４では、紙面データファイル１３内の該当画像に対する表示画データ１３１ＨＩ、および実画像データ１３１ＲＨが更新される。例えば、＃１レコードの要素情報（画像ａ）である場合、＃１要素の表示画データ１３１ＨＩの内容が、画像データ１０の表示画データ１０ＨＩの内容に置き換えられる。また、＃１要素の実画像データ１３１ＲＨの内容が画像データ１０の実画像データ１０ＲＨの内容に置き換えられる。
【００５１】
ステップＳ５では、紙面データファイル１３の要素情報に、該当画像が新規登録される。これは、以下に示す（１）から（７）の処理がなされることによって行われる。
（１）紙面データファイル１３内の空きレコードが検索される。例えば、＃ｊレコードが空きレコードであるとする。
（２）この＃ｊレコードの領域が初期化される。
（３）＃ｊレコードの要素種別１３ｊＳＢが「画像」とされる。
（４）＃ｊレコードの要素ＩＤ１３ｊＩＤが画像ＩＤ１０ＩＤとされる。
（５）＃ｊレコードの画像加工状態１３ｊＫＦの内容が画像加工状態１０ＫＦの内容とされる。
（６）＃ｊレコードの画像寸法１３ｊＳＺの内容が画像寸法１０ＳＺの内容とされる。
（７）＃ｊレコードの画像属性情報（色、トリミング等）１３ｊＰＲの内容が画像属性情報１０ＰＲの内容とされる。
【００５２】
このようにして、紙面データファイル１３の要素情報に該当する画像の新規登録がなされると、以下に示すように、ステップＳ６において、紙面データファイル１３内の該当画像に対する表示画データ１３１ＨＩおよび実画像データ１３１ＲＨの新規登録がなされる。これは、以下に示す（１）から（４）までの処理によってなされる。
【００５３】
（１）予め決められた規則に従い画像の表示画データの格納ディレクトリ／ファイル名が定められ、＃ｊレコードの画像の表示画データの格納ディレクトリ／ファイル名１３ｊＡＤ１に書き込まれる。
（２）画像データ１０の表示画データ格納ディレクトリ／ファイル名１０ＡＤ１から、画像の表示画データ１０ＨＩが読み出され、＃ｊ要素の表示画データ１３ｊＨＩに書き込まれる。
（３）予め決められた規則に従い画像の実画像データの格納ディレクトリ／ファイル名が定められ、＃ｊレコードの画像の実画像データの格納ディレクトリ／ファイル名１３ｊＡＤ２に書き込まれる。
（４）画像データ１０の実画像データ格納ディレクトリ／ファイル名１０ＡＤ２から画像の実画像データ１０ＲＨが読み出され、＃ｊ要素の実画像データ１３ｊＲＨに書き込まれる。
【００５４】
以上説明したようにして、画像登録部１１によって画像データ１０の登録処理がなされる。
【００５５】
次に、図４のフローチャートを用いて、出力編集部１２によってなされる出力用データの出力サーバ８への出力処理について説明する。
【００５６】
本実施の形態では、紙面データファイル１３を出力サーバ８へ出力する場合には、組版端末５から組版編集サーバ６になされた出力指示に基づいて、出力編集部１２によって、紙面データファイル格納部７の中から出力対象とされている紙面データファイル１３が読み込まれ、読み込まれた紙面データファイル１３に基づいて出力用データが作成される（Ｓ１１）。
【００５７】
そして、組版端末５から組版編集サーバ６になされた出力指示が、校閲出力または降版の場合（Ｓ１２：Ｙｅｓ）にはステップＳ１３の処理が行われ、そうでない場合（Ｓ１２：Ｎｏ）にはステップＳ１４の処理が行われる。
【００５８】
ステップＳ１３では、対象紙面内に未加工状態の画像が配置されている場合には、出力用データに警告マークまたは警告メッセージが付与される。この警告マークまたは警告メッセージの付与処理は、具体的には以下の（１）から（４）に示す処理によって行われる。例えば、出力対象とする紙面が紙面＃１である場合、
（１）対象レコードが＃１レコードとされる。
（２）対象レコードが未加工の配置済みの画像かどうかが以下のようにして確認される。すなわち、要素種別１３１ＳＢ（＃１）の内容が「画像」であり、配置状態１３１ＨＳ（＃１）の内容が「配置済」であり、画像加工状態１３１ＫＦ（＃１）の内容が「未加工」である場合には（３）の処理が行われ、そうでない場合には（４）の処理が行われる。
【００５９】
（３）警告情報である警告マークまたは警告メッセージが出力用データに付与される。これは、例えば＃１レコードの要素ＩＤ１３１ＩＤ（＃１）に、警告メッセージの画像ＩＤを付与するとともに、＃１レコードの配置位置座標１３１ＬＹ（＃１）や画像寸法１３１ＳＺ（＃１）に基づいて計算された座標位置に、警告マークを付与することによってなされる。
【００６０】
（４）出力対象の紙面データファイル１３内の全ての要素情報に対して処理がなされた場合には、出力サーバ８に出力用データが出力され、そうでない場合には、対象レコードを次のレコードとして上述する（１）から（３）までの処理がなされる。なお、組版端末５での未加工画像に対する警告メッセージや警告マークの表示についてはここでは説明はしないが、上述したような同様な処理を行うことによって容易に実現できる。
【００６１】
上述したように、本実施の形態に係る新聞紙面の画像更新方法を適用した新聞紙面制作システムにおいては、上記のような作用により、未加工の画像が配置されている場合には、その出力用データに、警告情報である警告マークまたは警告メッセージが付与されるので、オペレータは、その警告情報を見ることによって、未加工画像を容易に認識できるようになるので、オペレータの確認作業の負担を軽減することができる。また、誤って未加工の画像のまま大刷や降版するようなことを阻止することもできる。
【００６２】
（第２の実施の形態）
本発明の第２の実施の形態を図８を用いて説明する。
【００６３】
第２の実施の形態に係る新聞紙面の画像更新方法を適用した新聞紙面制作システムは、第１の実施の形態に係る新聞紙面の画像更新方法を適用した新聞紙面制作システムを改良したものである。
【００６４】
すなわち、第１の実施の形態では、例えば、画像が複数の紙面で使用されていた場合、画像サーバ４からその全ての紙面に対して加工済画像を再送しなければならない。複数の地方版を作成する新聞社では、同じ画像（写真）を複数の紙面に使用することが普通であるので、このようにするのは運用上煩雑となりトラブルの元になりやすい。例えば、画像ａは紙面＃１と紙面＃２の両方で使用されているが、加工済画像が紙面＃１だけにしか再送されなかった場合、紙面＃１内の画像ａは加工済画像に置き換えられるが、紙面＃２内の画像ａは未加工画像のままである。
【００６５】
本実施の形態に係る新聞紙面の画像更新方法を適用した新聞紙面制作システムは、このような場合であっても、加工済画像の再送を画像サーバ４から１回行うだけで該当画像を使用している全紙面内の画像を自動的に置き換える機能を有するものである。
【００６６】
このような本実施の形態に係る新聞紙面の画像更新方法を適用した新聞紙面制作システムの構成は、図１および図２に示すとおりであり、第１の実施の形態に係る新聞紙面の画像更新方法を適用した新聞紙面制作システムとその構成を同一とし、その動作が異なるのみである。したがって、ここではその構成に関する説明を省略し、図８に示すフローチャートを用いて、未加工画像の加工済画像再送時における画像情報更新機能の動作に関する説明を行う。
【００６７】
まず、ステップＳ２１では、第１の実施の形態において行われた図３のフローチャートに示す処理がなされ、紙面データファイル格納部７内の該当画像に対する表示画・実画像データの更新または新規登録処理がなされる（Ｓ２１）。
【００６８】
次に、紙面データファイル格納部７に格納された紙面＃１の紙面データファイル１３（＃１）が対象とされる（Ｓ２２）。
【００６９】
そして、ステップＳ２３では、対象とする紙面データファイル１３は、ステップＳ２１で処理した紙面と別の紙面であるか否かが確認される（Ｓ２３）。例えば、対象の紙面データファイル１３が紙面＃１である場合、紙面データファイル１３の掲載年月日１３ＫＤ（＃１）、面名１３ＭＮ（＃１）、版名１３ＨＮ（＃１）が、それぞれ画像データ１０の掲載年月日１０ＫＤ、面名１０ＭＮ、版名１０ＨＮと一致するか否かが確認される。そして、全て一致する場合（Ｓ２３：Ｎｏ）にはステップＳ２７の処理が行われ、いずれか１つでも一致しない場合（Ｓ２３：Ｙｅｓ）にはステップＳ２４の処理が行われる。
【００７０】
ステップＳ２４では、以下に示す（１）から（５）に示す処理にしたがって、指定された画像ＩＤと一致する画像が対象紙面データファイル１３内に登録済であるか否かが確認される。例えば、該当紙面が紙面＃１の紙面データファイル１３（＃１）である場合、
（１）紙面データファイル１３（＃１）内の＃１レコードの要素情報が対象とされる。
（２）対象要素情報のレコードの要素種別１３１ＳＢ（＃１）が「画像」か否かが確認され、「画像」である場合には以下に示す（３）の処理が行われ、「画像」でなければ（４）の処理が行われる。例えば、対象要素情報が＃１レコードの場合、＃１レコードの要素種別１３１ＳＢ（＃１）は「画像」であるので以下に示す（３）の処理が行われる。また、例えば対象要素情報が＃２レコードの場合、＃２レコードの要素種別１３２ＳＢ（＃１）は「記事」であるので以下に示す（４）の処理が行われる。
【００７１】
（３）対象要素情報のレコードの要素ＩＤが、指定された画像ＩＤと一致するか否かが確認され、一致する場合には登録済であるのでステップＳ２５の処理が行われ、一致しない場合には以下に示す（４）の処理が行われる。例えば、対象要素情報が＃１レコードである場合、＃１レコードの要素ＩＤ１３１ＩＤ（＃１）が画像データ１０の画像ＩＤ１０ＩＤと一致するか否かが確認される。
【００７２】
（４）紙面データファイル１３内の全ての要素情報に対する処理がなされたかが確認される。そして、全てのレコードの要素情報に対して処理がなされている場合には、該画像は未登録であるものと判定されステップＳ２７の処理が行われ、そうでない場合には以下に示す（５）の処理が行われる。
【００７３】
（５）対象要素情報が次のレコードとされ、全てのレコードが対象要素情報とされるまで上述した（２）の処理が行われ、上述した（２）から（４）の処理が行われる。例えば、対象要素情報が＃１レコードであれば、次のレコードは＃２レコードの要素情報とされて上述した（２）の処理が行われ、（２）から（４）の処理が行われる。全てのレコードについて処理がなされるとステップＳ２５の処理が行われる。
【００７４】
ステップＳ２５では、紙面データファイル１３内の該当画像の要素情報が、画像データ１０によって更新される。例えば、＃１レコードの要素情報の場合、画像加工状態１０ＫＦの内容に＃１レコードの画像加工状態１３１ＫＦ（＃１）が更新され、画像寸法１０ＳＺのデータによって＃１レコードの画像寸法１３１ＳＺ（＃１）の内容が更新され、画像属性情報１０ＰＲの内容によって＃１レコードの画像属性情報（色、トリミング等）１３１ＰＲ（＃１）の内容が更新され、ステップＳ２６の処理が行われる。
【００７５】
ステップＳ２６では、紙面データファイル１３内の該当画像に対する表示画・実画像データが、以下に示すようにして画像データ１０によって更新され、ステップＳ２７の処理が行われる。例えば、＃１要素の表示画データ１３１ＨＩの内容が、画像の表示画データ１０ＨＩの内容に置き換えられ、＃１要素の実画像データ１３１ＲＨの内容が、画像の実画像データ１０ＲＨの内容に置き換えられる。
【００７６】
ステップＳ２７では、紙面データファイル格納部７に格納された全ての紙面データファイル１３に対して処理がなされたか否かが確認され、全ての紙面データファイル１３に対して処理がなされた場合（Ｓ２７：Ｙｅｓ）には処理を終了し、そうでない場合（Ｓ２７：Ｎｏ）にはステップＳ２８の処理が行われる。
【００７７】
ステップＳ２８では、対象とする紙面データファイル１３が次の紙面データファイル１３とされ、ステップＳ２３の処理が行われる。例えば、対象とする紙面データファイル１３が紙面＃１である場合、紙面＃２の紙面データファイル１３（＃２）が対象とされる。
【００７８】
なお、出力編集部１２の動作は第１の実施の形態で説明したとおりである。
【００７９】
上述したように、本実施の形態に係る新聞紙面の画像更新方法を適用した新聞紙面制作システムにおいては、上記のような作用により、画像サーバ４から画像データ１０が送られた場合、画像登録部１１は、指定された掲載年月日、面名、版名に対応する紙面データファイル１３を紙面データファイル格納部７から探索し、該当画像を登録または更新することができる。
【００８０】
更に、加工済画像が送られてきた場合には、紙面データファイル格納部７に格納されている全ての紙面データファイル１３を調べ、該当画像が登録されていれば、要素情報および画像データを更新することができる。
【００８１】
また、出力編集部１２は、組版端末５からの出力指示に基づき、指定された掲載年月日、面名、版名の紙面データファイル１３を紙面データファイル格納部７から読み出し、紙面の出力用データを作成し、出力サーバ８に渡すことができる。
【００８２】
このようにして、複数の地方版を作成し、同じ画像を複数の紙面に配置するような場合であっても、加工済画像の再送は、画像サーバ４から１度行うのみで該当画像が配置されている全紙面内の画像を置き換えることが可能となる。
【００８３】
（第３の実施の形態）
本発明の第３の実施の形態を図９から図１１を用いて説明する。
【００８４】
第３の実施の形態に係る新聞紙面の画像更新方法を適用した新聞紙面制作システムは、第２の実施の形態に係る新聞紙面の画像更新方法を適用した新聞紙面制作システムを改良したものである。
【００８５】
すなわち、第２の実施の形態では、該当画像が複数の紙面に配置されているか否かを調べるために、紙面データファイル格納部７内の全ての紙面データファイル１３を探索する方法で処理している。しかしながら、この方法では、紙面データファイル１３の件数が少なければシステム稼動上の負荷面で問題はないが、紙面数が多くなった場合には、画像が搬入される毎に、全ての紙面データファイル１３に対して該当画像を調べる処理が実行されるので効率的ではない。
【００８６】
本実施の形態に係る新聞紙面の画像更新方法を適用した新聞紙面制作システムは、このような場合であっても、未加工画像が配置された紙面を定義している所属紙面情報を参照することによって、紙面データファイル１３の無駄な探索を回避するようにしたものである。
【００８７】
図９は、本実施の形態に係る新聞紙面の画像更新方法を適用した新聞紙面制作システムの一例を示す要部機能ブロック図である。なお、全体機能ブロック図は図１に示すとおりである。
【００８８】
本実施の形態に係る新聞紙面の画像更新方法を適用した新聞紙面制作システムは、図２に示す新聞紙面制作システムの組版編集サーバ６に未加工画像所属紙面情報格納部１５を付加した構成としており、以下のように動作する。
【００８９】
すなわち、未加工画像所属紙面情報格納部１５は、画像登録部１１からの指示に基づいて、例えば図１０に示すようなデータ構成からなる未加工画像所属紙面情報１７を格納する。また、画像登録部１１からの指示に基づいて、格納している未加工画像所属紙面情報１７を画像登録部１１に出力する。
【００９０】
また、画像登録部１１は、図１１に示すフローチャートにしたがって動作する。すなわち、画像登録部１１は、画像サーバ４から組版編集サーバ６へ画像データ１０が送信された場合、指定された掲載年月日１０ＫＤ、面名１０ＭＮ、版名１０ＨＮに対応する紙面データファイル１３を紙面データファイル格納部７から探索し、該当画像を登録または更新する。そして、加工済画像が送信された場合には、未加工画像所属紙面情報格納部１５に格納された未加工画像所属紙面情報１７を参照し、指定された掲載年月日、面名、版名以外の紙面データファイル１３に対する更新処理を行う。
【００９１】
また、画像登録部１１は、未加工画像を紙面データファイル１３に登録した場合には、この未加工画像を未加工画像所属紙面情報格納部１５にも登録し、加工済画像を紙面データファイル１３に登録／更新した場合には、未加工画像所属紙面情報格納部１５に格納されている未加工画像所属紙面情報１７を削除する。
【００９２】
出力編集部１２は、組版端末５からの出力指示に基づき、指定された掲載年月日、面名、版名の紙面データファイル１３を紙面データファイル格納部７から読み出し、紙面の出力用データを作成し、出力サーバ８に出力する。
【００９３】
次に、以上のように構成した本実施の形態に係る新聞紙面の画像更新方法を適用した新聞紙面制作システムの動作について、図１１に示すフローチャートを用いて説明する。
【００９４】
まず、ステップＳ３１では、画像データ１０で指定された画像の掲載年月日１０ＫＤ、面名１０ＭＮ、版名１０ＨＮと一致する紙面デ−タファイル１３が、紙面データファイル格納部７から検索される。これは以下のようにして行われる。
【００９５】
すなわち、以下に示す（１）から（６）の処理が、紙面データファイル格納部７内の紙面＃１の紙面データファイル１３（＃１）、紙面＃２の紙面データファイル１３（＃２）、紙面＃３の紙面データファイル１３（＃３）、・・・を対象に順次行われる。
（１）対象の紙面データファイル１３が紙面＃１の紙面データファイル１３（＃１）であった場合、
（２）対象の紙面データファイル１３（＃１）の掲載年月日１３ＫＤ（＃１）、面名１３ＭＮ（＃１）、版名１３ＨＮ（＃１）が取得され、これらがそれぞれ画像データ１０の掲載年月日１０ＫＤ、面名１０ＭＮ、版名１０ＨＮと一致するか否かが確認される
（３）全て一致する場合には、ステップＳ３２の処理が行われ、そうでない場合には以下に示す（４）の処理が行われる。
【００９６】
（４）上述した（１）から（３）までの処理が、紙面データファイル１３の全ての紙面に対してなされた場合は以下に示す（６）の処理が行われ、そうでない場合は以下に示す（５）の処理が行われる。
（５）対象の紙面が次の紙面とされて（２）の処理が行われる。
（６）紙面データファイル１３内に新たな紙面が追加登録され、ステップＳ３２の処理が行われる。
【００９７】
ステップＳ３２では、指定された画像ＩＤと、そのＩＤと一致する画像が該当紙面データファイル１３に登録済であるか否かが確認される。例えば、該当紙面が、紙面＃１の紙面データファイル１３（＃１）である場合、
（１）紙面データファイル１３（＃１）の＃１レコードの要素情報が対象とされる。
（２）対象要素情報のレコードの要素種別が画像か否か確認され、画像であれば以下に示す（３）の処理が行われ、そうでなければ以下に示す（４）の処理が行われる。例えば、対象要素情報が＃１レコードであれば、＃１レコードの要素種別１３１ＳＢ（＃１）は「画像」であるので以下に示す（３）の処理が行われる。一方、対象要素情報が＃２レコードであれば、＃２レコードの要素種別１３２ＳＢ（＃１）は「記事」であるので以下に示す（４）の処理が行われる。
（３）対象要素情報のレコードの要素ＩＤが、指定された画像ＩＤと一致するか否か確認され、一致する場合には、登録済であるのでステップＳ３３の処理が行われ、一致しない場合には以下に示す（４）の処理が行われる。例えば、該当画像が画像ａであるとすれば、＃１レコードの要素ＩＤ１３１ＩＤ（＃１）と画像ＩＤ１０ＩＤとは一致する。
（４）紙面データファイル１３内の全ての要素情報に対する処理がなされたか否かが確認される。そして、全てのレコードの要素情報に対して処理がなされた場合には、未登録であるのでステップＳ３５の処理が行われ、そうでない場合には以下に示す（５）の処理が行われる。
（５）対象要素情報が次のレコードとされる。例えば、対象要素情報が＃１レコードであれば、次のレコードは＃２レコードが要素情報とされる。このようにして、ステップＳ３２では、全てのレコードが対象とされるまで上述した（２）以降の処理が繰り返される。
【００９８】
ステップＳ３３では、紙面データファイル１３内の該当画像の要素情報の内容が、画像データ１０の内容によって更新される。これは、例えば、＃１レコードの要素情報（画像ａ）である場合、以下の１）から３）に示す３つのデータが更新されることによってなされる。
１）＃１レコードの画像加工状態１３１ＫＦ（＃１）の内容が、画像データ１０の画像加工状態１０ＫＦの内容で更新される。
２）＃１レコードの画像寸法１３１ＳＺ（＃１）が、画像データ１０の画像寸法１０ＳＺの内容で更新される。
３）＃１レコードの画像属性情報（色、トリミング等）１３１ＰＲ（＃１）が、画像データ１０の画像属性情報１０ＰＲの内容で更新される。
【００９９】
ステップＳ３４では、紙面データファイル１３内の該当画像に対する表示画・実画像データの内容が、画像データ１０の内容によって更新される。これは、例えば、＃１レコードの要素情報（画像ａ）である場合、＃１要素の表示画データ１３１ＨＩの内容が、画像データ１０の表示画データ１０ＨＩの内容で置き換えられ、また、＃１要素の実画像データ１３１ＲＨの内容が、画像データ１０の実画像データ１０ＲＨの内容で置き換えられる。
【０１００】
ステップＳ３５では、紙面データファイル１３の要素情報に該当画像が新規登録される。これは以下に示す（１）から（７）の処理にしたがって行われる。
（１）紙面データファイル１３内の空きレコードが検索される。この場合、例えば、＃ｊレコードが空きレコードとして検索されたものとする。
（２）（１）で検索されたレコードである＃ｊレコードの領域が初期化される。
（３）＃ｊレコードの要素種別１３ｊＳＢに、「画像」が書き込まれる。
（４）＃ｊレコードの要素ＩＤ１３ｊＩＤに、画像データ１０の画像ＩＤ１０ＩＤの内容が書き込まれる。
（５）＃ｊレコードの画像加工状態１３ｊＫＦに、画像データ１０の画像加工状態１０ＫＦの内容が書き込まれる。
（６）＃ｊレコードの画像寸法１３ｊＳＺに、画像データ１０の画像寸法１０ＳＺの内容が書き込まれる。
（７）＃ｊレコードの画像属性情報（色、トリミング等）１３ｊＰＲに、画像データ１０の画像属性情報１０ＰＲの内容が書き込まれる。
【０１０１】
ステップＳ３６では、以下に示す（１）から（４）の処理が行われることによって、紙面データファイル１３内の該当画像に対する表示画・実画像データが新規登録される。
（１）予め決められた規則に従って画像の表示画データの格納ディレクトリ／ファイル名が定められ、＃ｊレコードの画像の表示画データの格納ディレクトリ／ファイル名１３ｊＡＤ１に書き込まれる。
（２）画像データ１０の表示画データの格納ディレクトリ／ファイル名１０ＡＤ１から、画像の表示画データ１０ＨＩが読み出され、＃ｊ要素の表示画データ１３ｊＨＩに書き込まれる。
（３）予め決められた規則に従い画像の実画像データの格納ディレクトリ／ファイル名が定められ、＃ｊレコードの画像の実画像データの格納ディレクトリ／ファイル名１３ｊＡＤ２に書き込まれる。
（４）画像データ１０の実画像データ格納ディレクトリ／ファイル名１０ＡＤ２から、画像の実画像データ１０ＲＨが読み出され、＃ｊ要素の実画像データ１３ｊＲＨに書き込まれ、ステップＳ３９の処理が行われる。
【０１０２】
ステップＳ３７では、該当画像が加工済であるか否かが確認される。すなわち、画像データ１０の画像加工状態１０ＫＦが「加工済」であればステップＳ３８の処理が行われ、「加工済」でなければステップＳ４１の処理が行われる。
【０１０３】
ステップＳ３８では、以下に示す（１）から（５）に示す処理にしたがって、未加工画像所属紙面情報１７の該当レコードが削除される。すなわち、
（１）未加工画像所属紙面情報１７の第１レコード、第２レコード、・・・が順次探索され、画像の要素ＩＤ１７１ＩＤ、画像の要素ＩＤ１７２ＩＤ、・・・が、画像データ１０の画像ＩＤ１０ＩＤと等しいレコード（第ｉレコード）が検索される。
（２）第ｉレコードの＃１所属紙面情報、＃２所属紙面情報、・・が順次検索され、未加工画像所属紙面情報１７の＃ｊ掲載年月日１７ｉＫＤｊ、＃ｊ面名１７ｉＭＮｊ、＃ｊ版名１７ｉＨＮｊがそれぞれ画像データ１０の掲載年月日１０ＫＤ、面名１０ＭＮ、版名１０ＨＮと等しい所属紙面情報（＃ｊ）が検索される。
（３）＃ｊ紙面番号１７ｉＢＧｊ、＃ｊ所属紙面情報の掲載年月日１７ｉＫＤｊ、＃ｊ面名１７ｉＭＮｊ、＃ｊ版名１７ｉＨＮｊがそれぞれクリア（初期化）される。
（４）第ｉレコードの＃１所属紙面情報、＃２紙面所属情報，・・・の所属紙面情報が全てクリアされているか否かが確認される。そして、全ての所属紙面情報がクリアされていれば、第ｉレコードの画像の要素ＩＤ１７ｉＩＤがクリアされる。それ以外の場合には、情報がそのまま保持される。
（５）ステップＳ４１の処理が行われる。
【０１０４】
ステップＳ３９では、該当画像の画像加工状態が加工済であるか否かが確認される。そして、画像加工状態１０ＫＦが「加工済」であればステップＳ４１の処理が行われ、「加工済」でなければステップＳ４０の処理が行われる。
【０１０５】
ステップＳ４０では、以下に示す（１）から（７）の処理が行われることによって、未加工画像所属紙面情報１７の該当レコードが追加される。
（１）未加工画像所属紙面情報１７の第１レコード、第２レコード、・・・が順次探索され、画像ＩＤ１０ＩＤと一致する要素１７ｉＩＤとなる第ｉレコードが検索される。そして、該当レコードが探索された場合には上述した（２）の処理が行われ、該当レコードがない場合には、以下に示す（６）の処理が行われる。
（２）第ｉレコードの＃１所属紙面情報、＃２所属紙面情報が順次探索され、＃ｊ掲載年月日１７ＫＤｊ、＃ｊ面名１７ｉＭＮｊ、＃ｊ版名１７ｉＨＮｊが、それぞれ画像データ１０の掲載年月日１０ＫＤ、面名１０ＭＮ、版名１０ＨＮと一致する＃ｊ所属紙面情報が検索される。
（３）（２）において掲載年月日、面名、版名ともに一致する所属紙面情報が検索された場合には、以下に示す（７）の処理が行われ、そうでない場合には以下に示す（４）の処理が行われる。
（４）空いている所属紙面情報が探索される。
（５）例えば、第ｉレコードの＃ｊ所属紙面情報が空いているとする。この場合、以下に示す１）から５）に示す通りの処理がなされる。
１）第ｉレコードの＃ｊ紙面番号１７ｉＢＧｊの内容が、紙面＃１のデータに置き換えられる。
２）第ｉレコード１７ｉの＃ｊ掲載年月日１７ｉＫＤｊの内容が、画像の掲載年月日１０ＫＤに置き換えられる。
３）第ｉレコードの＃ｊ面名１７ｉＭＮｊの内容が、画像の面名１０ＭＮに置き換えられる。
４）第ｉレコードの＃ｊ版名１７ｉＨＮｊの内容が、画像の版名１０ＨＮに置き換えられる。
５）（６）の処理が行われる。
（６）下記に示す１）から６）の処理がなされ、未加工画像所属紙面情報１７が新規登録される。
１）空きレコードが探索される。例えば、第ｉレコードが空きレコードであるである場合、
２）第ｉレコードの画像の要素ＩＤ１７ｉＩＤの内容が画像ＩＤ１０ＩＤとされる。
３）第ｉレコードの＃１紙面番号１７ｉＢＧ１の内容が紙面＃１とされる。
４）第ｉレコードの＃１掲載年月日１７ｉＫＤ１の内容が画像の掲載年月日１０ＫＤとされる。
５）第ｉレコードの＃１面名１７ｉＭＮ１の内容が画像の面名１０ＭＮとされる。
６）第ｉレコードの＃１版名１７ｉＨＮ１の内容が画像の版名１０ＨＮとされる。
（７）画像登録部１１によってなされる処理を終了する。
【０１０６】
ステップＳ４１では、未加工画像の所属紙面情報の第１レコードが対象とされる。
【０１０７】
ステップＳ４２では、未加工画像所属紙面情報１７の対象レコードの画像ＩＤが画像データ１０で指定された画像ＩＤ１０ＩＤと一致するか否かが確認される。これは、例えば、対象レコードを第１レコードとする場合、画像の要素ＩＤ１１７ＩＤと、画像ＩＤ１０ＩＤとが等しければステップＳ４３の処理が行われ、そうでない場合にはステップＳ４９の処理が行われる。
【０１０８】
ステップＳ４３では、＃１所属紙面情報が対象とされる。
【０１０９】
ステップＳ４４では、以下に示す（１）から（２）の処理がなされることによって、対象となる紙面データファイル１３を読み込み、指定された画像ＩＤと一致する要素情報のレコードが探索される。
例えば、未加工画像所属紙面情報１７の第１レコードが対象であり、該当画像が画像ａの場合、
（１）＃１画像の紙面番号１７１ＢＧ１から、紙面データファイル格納部７内の該当する紙面データファイル１３が読み込まれる。例えば、＃１画像の紙面番号１７１ＢＧ１が紙面＃２である場合、紙面＃２の紙面データファイル１３（＃２）が読み込まれる。
（２）読み込んだ紙面データファイル１３（＃２）の要素情報のレコードが順次探索され、要素種別が「画像」であって、該当画像の画像ＩＤと一致するレコードが検索される。この場合、＃２レコードの要素種別１３２ＳＢ（＃２）が「画像」であり、＃２レコードの要素ＩＤ１３２ＩＤ（＃２）が「画像ａの画像ＩＤ」であるので＃２レコードが該当の要素情報として検索される。
【０１１０】
ステップＳ４５では、以下に示す（１）から（３）までの処理が行われ、対象紙面データファイル１３内の該当画像の要素情報が更新される。
（１）＃２レコードの画像加工状態１３２ＫＦ（＃２）が、画像加工状態１０ＫＦのデータによって更新される。
（２）＃２レコードの画像寸法１３２ＳＺ（＃２）が、画像寸法１０ＳＺのデータによって更新される。
（３）＃２レコードの画像属性情報（色、トリミング等）１３２ＰＲ（＃２）が、画像属性情報１０ＰＲのデータによって更新される。
【０１１１】
ステップＳ４６では、以下に示す（１）から（３）までの処理が行われ、紙面データファイル１３内の該当画像に対する表示画データ、実画像データが更新される。
（１）＃２要素の表示画データ１３２ＨＩの内容が、画像の表示画データ１０ＨＩによって置き換えられる。
（２）＃２要素の実画像データ１３２ＲＨの内容が、画像の実画像データ１０ＲＨによって置き換えられる。
（３）ステップＳ４７の処理が行われる。
【０１１２】
ステップＳ４７では、未加工画像所属紙面情報１７の対象レコード内の全ての所属紙面情報に対して処理がなされたか否かが確認される。そして、未加工画像所属紙面情報１７の対象レコード内の全ての所属紙面情報に対して処理がなされた場合にはステップＳ４９の処理が行われ、そうでない場合にはステップＳ４８の処理が行われる。
【０１１３】
ステップＳ４８では、未加工画像所属紙面情報１７の対象レコード内の所属紙面情報として、次の所属紙面情報が対象とされる。例えば、現在対象としている対象レコードが、第１レコードの＃１所属紙面情報の場合、＃２所属紙面情報が対象紙面情報とされ、ステップＳ４４の処理が行われる。
【０１１４】
ステップＳ４９では、未加工画像所属紙面情報１７の全てのレコードに対して処理したか否かが確認される。そして、未加工画像所属紙面情報１７の全てのレコードに対して処理がなされた場合には、画像登録部１１によってなされる動作を終了し、そうでない場合にはステップＳ５０の処理が行われる。
【０１１５】
ステップＳ５０では、未加工画像所属紙面情報１７の対象レコードが次のレコードとされ、ステップＳ４２の処理が行われる。
【０１１６】
上述したように、本実施の形態に係る新聞紙面の画像更新方法を適用した新聞紙面制作システムにおいては、上記のような作用により、未加工画像所属紙面情報１７内の紙面番号の値を使うことによって、紙面データファイル格納部７内の紙面＃１の紙面データファイル１３（＃１）、紙面＃２の紙面データファイル１３（＃２）等を直接読み込むことができる。これによって、該当画像が複数の紙面で使用されているか否かを調べる場合であっても、未加工画像所属紙面情報１７を参照することによって、紙面データファイル１３の無駄な探索を回避することができ、紙面データファイル１３の件数が多い場合であっても、システムに多大な負荷をかけることなく、効率的な探索を実現することが可能となる。
【０１１７】
（第４の実施の形態）
本発明の第４の実施の形態を図１２から図１３を用いて説明する。
【０１１８】
第４の実施の形態に係る新聞紙面の画像更新方法を適用した新聞紙面制作システムは、第３の実施の形態に係る新聞紙面の画像更新方法を適用した新聞紙面制作システムを改良したものである。
【０１１９】
すなわち、第３の実施の形態では、ある紙面に搬入された未加工画像が、別の紙面に振替または複写されたものである場合、未加工画像所属紙面情報１７は更新されないので、画像登録部１１の処理では検知できない。したがって、ある紙面に搬入された未加工画像が、別の紙面に振替または複写されたものである場合には、第２の実施の形態で説明したように、画像が搬入される毎に、全ての紙面データファイル１３に対して該当画像を調べる処理が実行されるので効率的ではない。なお、振替とは、ある紙面に配置されていた画像を別の紙面に配置し直すことであり、複写とは、ある紙面に配置された画像をコピーして他の紙面にも配置して用いることである。
【０１２０】
本実施の形態に係る新聞紙面の画像更新方法を適用した新聞紙面制作システムは、このような場合であっても、既存機能である要素の振替・複写機能に未加工画像所属紙面情報１７を更新する機能を追加することによって、紙面データファイル１３の無駄な探索を回避するものである。
【０１２１】
図１２は、第４の実施の形態に係る新聞紙面の画像更新方法を適用した新聞紙面制作システムの一例を示す要部機能ブロック図である。なお、全体機能ブロック図は図１に示すとおりである。
【０１２２】
本実施の形態に係る新聞紙面の画像更新方法を適用した新聞紙面制作システムは、図９に示す新聞紙面制作システムの組版編集サーバ６に要素振替複写部２０を付加した構成としており、以下のように動作する。
【０１２３】
すなわち、画像登録部１１は、画像サーバ４から画像データ１０が送られた場合、指定された画像の掲載年月日１０ＫＤ、面名１０ＭＮ、版名１０ＨＮに対応する紙面データファイル１３を紙面データファイル格納部７から探し、該当画像に情報を登録または更新する。そして、画像サーバ４から加工済画像が送られてきた場合には、未加工画像所属紙面情報１７を参照して、指定された画像の掲載年月日１０ＫＤ、面名１０ＭＮ、版名１０ＨＮ以外の紙面データファイル１３に対する更新処理を行う。また、未加工画像を紙面データファイル１３に登録した場合には、未加工画像所属紙面情報１７に登録し、加工済画像を紙面データファイル１３に登録または更新した場合には、未加工画像所属紙面情報１７を削除する。
【０１２４】
要素振替複写部２０は、図１３のフローチャートに示すとおり動作し、振替・複写対象が未加工画像であれば未加工画像所属紙面情報１７を更新した後、既存の振替・複写処理を行う。また、振替・複写対象が小組であればその中に含まれている未加工画像に対しても同様の処理を行う。
【０１２５】
出力編集部１２は、組版端末５からの出力指示に基づき、指定された掲載年月日、面名、版名の紙面データファイル１３を紙面データファイル格納部７から読み出し、紙面の出力用データを作成し、出力サーバ８に出力する。
【０１２６】
次に、以上のように構成した本実施の形態に係る新聞紙面の画像更新方法を適用した新聞紙面制作システムの動作について、図１３に示すフローチャートを用いて説明する。なお、画像登録部１１および出力編集部１２の動作は、それぞれ図１１および図４に示すとおりである。
【０１２７】
まず、ステップＳ６１では、振替・複写対象が画像であるか否かが確認される。そして、振替・複写対象が「画像」であればステップＳ６２の処理が行われ、「画像」でない場合にはステップＳ６５の処理が行われる。
【０１２８】
ステップＳ６２では、この画像が「未加工」であるか否かが確認され、「未加工」である場合にはステップＳ６３の処理が行われ、「未加工」でない場合にはステップＳ６４の処理が行われる。
【０１２９】
ステップＳ６３では、以下に示す（１）から（８）の処理が行われ、未加工画像所属紙面情報１７が更新される。
（１）振替処理を行う場合には以下に示す（２）の処理が行われ、複写処理を行う場合には以下に示す（５）の処理が行われる。
（２）未加工画像所属紙面情報１７の第１レコード、第２レコード、・・・が対象とされ、画像の要素ＩＤ１７１ＩＤ、１７２ＩＤ、・・・が振替・複写対象と一致するレコードが探索される。以下、第２レコードの画像の要素ＩＤ１７２ＩＤが、振替・複写対象の画像ＩＤと一致した場合を例に説明する。
（３）未加工画像所属紙面情報１７の該当レコード内の＃１所属紙面情報、＃２所属紙面情報が探索され、振替元の紙面番号または掲載年月日、面名、版名と一致する所属紙面情報が探索される。例えば、＃１所属紙面情報であった場合には、
（４）振替元の該当所属紙面情報が複写先の内容に更新される。
１）第２レコードの＃１紙面番号１７２ＢＧ１の内容が、振替先の紙面の紙面番号に更新される。
２）第２レコードの＃１掲載年月日１７２ＫＤ１の内容が、振替先の掲載年月日に更新される。
３）第２レコードの＃１面名１７２ＭＮ１の内容が、振替先の面名に更新される。
４）第２レコードの＃１版名１７２ＨＮ１の内容が、振替先の版名に更新される。
５）以下に示す（８）の処理が行われる。
（５）未加工画像所属紙面情報１７の第１レコード、第２レコードを対象として、画像の要素ＩＤが振替・複写対象と一致するレコードが探索される。例えば、第２レコードの画像の要素ＩＤ１７２ＩＤが、振替・複写対象の画像ＩＤと一致したとする。
（６）未加工画像所属紙面情報１７の該当レコード内の＃１所属紙面情報、＃２所属紙面情報が探索され、空いている所属紙面情報が探索される。例えば、探索された所属紙面情報が＃２所属紙面情報であるものとする。
（７）複写先の該当所属紙面情報が、以下のようにして追加される。
１）第２レコードの＃２紙面番号１７２ＢＧ２の内容が、複写先の紙面の紙面番号に更新される。
２）第２レコードの＃２掲載年月日１７２ＫＤ２の内容が、複写先の掲載年月日に更新される。
【０１３０】
３）第２レコードの＃２面名１７２ＭＮ２の内容が、複写先の面名に更新される。
４）第２レコードの＃２版名１７２ＨＮ２の内容が、複写先の版名に更新される。
５）以下に示す（８）の処理が行われる。
（８）ステップＳ６４の処理が行われる。
【０１３１】
ステップＳ６４では、既存処理である要素の既存の複写・振替処理が行われる。
ステップＳ６５では、振替・複写対象は小組か否かが確認される。そして、小組であればステップＳ６６の処理が行われ、そうでなけばステップＳ６４の処理が行われる。
【０１３２】
ステップＳ６６では、該当小組が構成要素に未加工の画像を含んでいるかが確認された後にステップＳ６７の処理が行われる。
【０１３３】
ステップＳ６７では、未加工の画像を含んでいる場合にはステップＳ６８の処理が行われ、含んでいなければステップＳ６４の処理が行われる。
【０１３４】
ステップＳ６８では、未加工画像所属紙面情報１７が更新され、しかる後にステップＳ６４の処理が行われる。
【０１３５】
上述したように、本実施の形態に係る新聞紙面の画像更新方法を適用した新聞紙面制作システムにおいては、上記のような作用により、紙面に搬入された未加工画像が、別紙面に振替または複写されたものである場合であっても、既存機能である要素の振替・複写機能に未加工画像所属紙面情報１７を更新する機能を追加することによって、紙面データファイル１３の無駄な探索を回避することができ、紙面データファイル１３の件数が多い場合であっても、システムに多大な負荷をかけることなく、効率的な探索を実現することが可能となる。
【０１３６】
なお、請求項における記憶手段及び記憶装置、表示手段及び表示装置、未加工識別情報付与手段は、上記実施の形態において紙面データファイル格納部７、組版端末５、出力編集部１２にそれぞれに相当する。また、請求項における第１および第２の画像データ置換手段は、上記実施の形態において画像登録部１１に相当する。更に、請求項における管理テーブル、第１の管理テーブル更新手段、第２の管理テーブル更新手段、および第３の管理テーブル更新手段は、上記実施の形態において未加工画像所属紙面情報１７、画像登録部１１、要素振替複写部２０、要素振替複写部２０にそれぞれ相当する。
【０１３７】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【０１３８】
【発明の効果】
以上説明したように、本発明に係る新聞紙面の制作システムおよび画像更新方法によれば、大刷や降版時に未加工の画像がレイアウトされている場合には、大刷の印刷物や組版端末の画面上で警告のメッセージを表示することにより、未加工画像が配置されていることを容易に認識することができる。
【０１３９】
以上により、誤って未加工画像が配置されたまま降版してしまうことを阻止することが可能な新聞紙面の制作システムおよび画像更新方法を実現することが可能となる。
【０１４０】
また、未加工状態で組版に送られた画像に対し、画像加工が終わり加工済画像が再送された場合には、紙面レイアウト担当者が差し替え操作をしなくても未加工画像を加工済画像に自動的に差し替えることが可能な新聞紙面の制作システムおよび画像更新方法を実現することが可能となる。
【図面の簡単な説明】
【図１】第１の実施の形態に係る新聞紙面の画像更新方法を適用した新聞紙面制作システムの一例を示す全体機能ブロック図
【図２】第１の実施の形態に係る新聞紙面の画像更新方法を適用した新聞紙面制作システムの組版編集サーバの詳細構成を示す要部機能ブロック図
【図３】第１の実施の形態に係る新聞紙面の画像更新方法を適用した新聞紙面制作システムの画像登録部によってなされる画像データの登録処理の動作を示すフローチャート
【図４】第１の実施の形態に係る新聞紙面の画像更新方法を適用した新聞紙面制作システムの出力編集部によってなされる画像データの登録処理の動作を示すフローチャート
【図５】画像データの一例を示すデータ構造図
【図６】紙面＃１の紙面データファイルの一例を示すデータ構造図
【図７】紙面＃２の紙面データファイルの一例を示すデータ構造図
【図８】第２の実施の形態に係る新聞紙面の画像更新方法を適用した新聞紙面制作システムの画像登録部によってなされる画像データの登録処理の動作を示すフローチャート
【図９】第３の実施の形態に係る新聞紙面の画像更新方法を適用した新聞紙面制作システムの組版編集サーバの詳細構成を示す要部機能ブロック図
【図１０】未加工画像所属紙面情報の一例を示すデータ構成図
【図１１】第３の実施の形態に係る新聞紙面の画像更新方法を適用した新聞紙面制作システムの画像登録部によってなされる画像データの登録処理の動作を示すフローチャート
【図１２】第４の実施の形態に係る新聞紙面の画像更新方法を適用した新聞紙面制作システムの組版編集サーバの詳細構成を示す要部機能ブロック図
【図１３】第４の実施の形態に係る新聞紙面の画像更新方法を適用した新聞紙面制作システムの要素振替複写部によってなされる画像データの登録処理の動作を示すフローチャート
【符号の説明】
１…記事入力／校正端末
２…記事サーバ
３…画像入力／加工端末
４…画像サーバ
５…組版端末
６…組版編集サーバ
７…紙面データファイル格納部
８…出力サーバ
９…プリンタ／プロッタ
１０…画像データ
１１…画像登録部
１２…出力編集部
１３…紙面データファイル
１５…未加工画像所属紙面情報格納部
１７…未加工画像所属紙面情報
２０…要素振替複写部
【図１】
0003905718.tif 000002
【図２】
0003905718.tif 000003
【図３】
0003905718.tif 000004
【図４】
0003905718.tif 000005
【図５】
0003905718.tif 000006
【図６】
0003905718.tif 000007
【図７】
0003905718.tif 000008
【図８】
0003905718.tif 000009
【図９】
0003905718.tif 000010
【図１０】
0003905718.tif 000011
【図１１】
0003905718.tif 000012
【図１２】
0003905718.tif 000013
【図１３】
0003905718.tif 000014